(57)【特許請求の範囲】
【請求項１】
筒状と渦巻状とに変化する伸縮体（１）は、先端に先端具（１０）を持ち、基端に該伸縮体（１）を渦巻状とする密着渦巻部（１９）を有し、この密着渦巻部（１９）に、これを構成する伸縮体（１）と重ね合わせて一緒に巻かれた繰出帯（２）を有し、この繰出帯の端がギヤリール（３）に巻回され、このギヤリール（３）に形成のギヤに接離する駆動ギヤ（４）を有し、この駆動ギヤ（４）の接触時に入力手段から回転力が伝えられて前記伸縮体（１）が伸び、また離れた時に伸縮体（１）が前記密着渦巻部（１９）に巻き取られて前記伸縮体（１）が縮むようにしたことを特徴とする自動巻込押具。
【請求項２】
前記伸縮体（１）自身が筒状から渦巻状に戻ろうとする性質を有していることを特徴とする請求項１記載の自動巻込押具。
【請求項３】
前記繰出帯（２）が０．０５〜０．２ｍｍのステンレス膜又はＰＥＴ（ポリエステル）フィルムより成ることを特徴とする請求項１記載の自動巻込押具。
【請求項４】
前記繰出帯（２）が定荷重バネとされ、伸縮体（１）の戻り方向に力が付与されていることを特徴とする請求項１又は３記載の自動巻込押具。
【請求項５】
前記入力手段（５）として、回転出力するモータが用いられたことを特徴とする請求項１記載の自動巻込押具。
【請求項６】
前記入力手段（５）として、手動で回転力を発生させるハンドル（３９）が用いられたことを特徴とする請求項１記載の自動巻込押具。
【発明の詳細な説明】
【０００１】
【発明の属する技術分野】
本発明は、伸長させてスイッチやドアを押すことのできる自動巻込押具であって、巻尺にもなるものに関している。
【０００２】
【従来の技術】
従来の伸縮性押具としては、本出願人による、特開平８−２８１５７４号の如く、先端具５を有する筒状の変態バネ１を引伸ばして、筒状部支持体２と渦巻部支持体７に保持させ、この渦巻部支持体が回転付勢ゼンマイ８と連結され自動巻取りされるようになされたものが知られている。このものは、回転付勢ゼンマイ８がついているので、伸ばした筒状変態バネ１はゼンマイの力で自動的に縮むようになっている。
【０００３】
また、特開昭６２−２６９００１号の如く、筒状巻き尺の腹を開いて、これを渦巻状に巻き取り、ゼンマイの力で自動的に縮められるようにしたものが知られている。このものは、巻き尺ではあるが、筒状巻き尺であるので剛性が強く、遠方のものを押したり、ドアを押し開いたりすることも可能なものである。
【０００４】
また、ＵＳＰ３４３４６７４の如く、筒状伸縮体１４を、ピンチロール４４・４８で挾み、モータ２６により送り出したり縮めたりするものも知られている。
【０００５】
ピンチロールで駆動するものは、水やホコリが付着すると滑ってしまう。
【０００６】
【発明が解決しようとする課題】
以上に述べた従来の伸縮性押具は、これを伸ばすのに、手で直接触れて伸ばすものでは汚れるので嫌がられ、ピンチロールのものでは水やホコリでスリップするので確実な伸縮ができないという問題があった。
【０００７】
本発明は、このような従来の構成が有していた問題を解決しようとするもので、伸縮体に直接触れずに伸ばしたり縮めたりでき、しかも、ピンチロールでなく、スリップせずに、正確に、伸ばしたり縮めたりできるような軽量小型シンプルな自動巻込押具を提供することを目的とするものである。
【０００８】
【課題を解決するための手段】
そして、本発明に係る自動巻込押具は、筒状と渦巻状とに変化する伸縮体（１）が、先端に先端具（１０）を持ち、基端に該伸縮体（１）を渦巻状とする密着渦巻部（１９）を有し、この密着渦巻部（１９）に、これを構成する伸縮体（１）と重ね合わせて一緒に巻かれた繰出帯（２）を有し、この繰出帯の端がギヤリール（３）に巻回され、このギヤリール（３）に形成のギヤに接離する駆動ギヤ（４）を有し、この駆動ギヤ（４）の接触時に入力手段から回転力が伝えられて前記伸縮体（１）が伸び、また離れた時に伸縮体（１）が前記密着渦巻部（１９）に巻き取られて前記伸縮体（１）が縮むようにしたことにある（請求項１）。
【０００９】
また、軽量小型シンプルなものとするのに、伸縮体（１）自身が筒状から渦巻状に戻ろうとする性質を有するようにし（請求項２）、ゼンマイを省略したものである。
【００１０】
スリップなく正確な繰り出しを実現するのに、繰出帯（２）を金属箔やＰＥＴ膜など、高張力膜とした（請求項３）。また、繰出帯２を定荷重バネとし（請求項４）、伸縮体１の戻り方向に力が付与されるようにして、ゼンマイを省略したものである。
【００１１】
前記ギヤリール（３）を駆動する入力手段５としてモータやハンドルを設けることにより（請求項５，６）、操作に両手を必要とせず、片手のみで、伸縮体（１）を伸縮させうるようにした。
【００１２】
【発明の実施の形態】
以下、本発明の実施の形態として一実施例を図１〜図５に基づいて説明する。伸縮体１自身を棒でしごいて密着渦巻癖を与え、ゼンマイ無しで筒状から渦巻状に戻るようにしてある。先端具１０を取付部１２にて固定した伸縮体１は、支柱１４に沿って開かれ密着渦巻部１９が形成されている。密着渦巻部１９はゼンマイのように伸縮体１を縮める力を発生させる。（巻込性）
【００１３】
繰出帯２は、前記密着渦巻部１９に重ね巻きされており、且つ、軸１８に両者は連結されている。該繰出帯２の他端はギヤリール３に巻回されており、０．０５ミリメートルのステンレス材なので巻回数が多くても嵩張らない。
【００１４】
ギヤリール３には、ウォームの駆動ギヤ４が噛合わされており、駆動ギヤ４はモータの入力手段５により駆動されるようになされている。モータの入力手段５はスイッチ６によりＯＮ−ＯＦＦされ、電池８より電流を与えられる。
【００１５】
モータの入力手段５は受箱５４内を摺動しうるようになされており、復元バネ５６により摺動後に、上方へ復元される。この際、駆動ギヤ４はギヤリール３から離れ、噛合は外れる。戻し部７を復元バネ７０に抗して押し下げることにより、入力手段５であるモータと一体のウォームをギヤリール３から外すことができるようになされている。
【００１６】
上記構造の自動巻込押具では、スイッチ６を押して入力手段５による駆動ギヤ４及びギヤリール３の回転を与え、繰出帯２を巻き上げることにより、重ね巻きされた密着渦巻部１９から伸縮体１を繰り出させて、これを伸長させる。先端具１０にて遠隔のスイッチ等を押すなど、様々の作業をおこなうことができる。更に、戻し部７を押し下げてギヤリール３をフリーとし、密着渦巻部１９の自力巻込性を利用して伸縮体１を縮めることができる。
【００１７】
繰出帯２は高張力薄膜が望ましく、０．０５〜０．２ミリメートルのステンレス膜や、ＰＥＴ（ポリエステル）フィルム等が採用される。繰出帯２を定荷重バネとし、図２の如くギヤリール３に反転させて巻き付け固定させることにより伸縮体１に巻込癖がなくとも、これを巻き込むことができる利点がある。（Ｎ型定荷重バネ）
【００１８】
他の実施例を図３に示す。このものは、前記実施例とゼンマイの有無及びギヤロックの解除方法で相違する。即ち、本実施例では、伸縮体１自身が自力巻込性を持たないのでゼンマイ９０により巻込性を与えている。繰出帯２は密着渦巻部１９と重ね巻きされて、図３のゼンマイリール９に内端を固定されている。
【００１９】
ギヤロックの解除方法は揺動方式を採用してある。即ち、入力手段５であるモータは支点５２を中心として揺動可能となされており、復元バネ５６により戻されるようになされている。モータに固定された戻し部７を動かすことにより、ギヤリール３と駆動ギヤ４との噛合いが外れ、繰出帯２が弛むことによりゼンマイ９０が働き、伸縮体１が収縮するものである。
【００２０】
更なる実施例を図４に示す。このものは、入力手段５として片手入力具を設けたものであり、第１実施例と同様の巻込癖を持つ伸縮体１を繰り出すのにレバー方式の手動入力具を取り付けたものである。即ち、ギヤリール３をワンウエイギヤとし、これを駆動する駆動ギヤ４を扇形にし、入力手段５の突出部（ハンドル）をギコギコと動かして、伸縮体１を送り出すことができる。（復元バネ５８・５９で戻す。）
【００２１】
戻し部７は入力手段５の突出部と兼ねており、これを押し込むと駆動ギヤ４とギヤリール３との噛合いが外れて繰出帯２が弛み、伸縮体１が縮む。
【００２２】
最後の実施例を図５に示す。このものは入力手段５として、片手入力具としてのハンドル３９付ギヤリール３が設けられ、滑車３２を介して繰出帯２の端部が止められている。ハンドル３９の設けられたギヤリール３は、逆転防止の為のストッパー７０が噛み合わされており、戻し部７を復元圧縮バネ５１に抗して持ち上げることにより、この噛合いを外し、伸縮体１を縮めうるようになされている。ハンドル３９を矢印方向に回転させる際にはストッパー７０は逃げ、ワンウエイクラッチとして作動するようになされている。このものは筒状の伸縮体１が背開きに開かれて巻回されており、背開き側から支柱１４により保持されている。
【００２３】
図５の自動巻込押具では、ハンドル３９を回して伸縮体１を伸縮させ、戻し部７を少し持ち上げてゼンマイ９０の力で縮めるので操作が分り易い利点がある。
【００２４】
【発明の効果】
上述したように本発明の自動巻込押具では、巻込性の伸縮体１の密着渦巻部１９に重ねて一緒に巻かれた繰出帯２がギヤリール３にも巻回され、該ギヤリール３に駆動ギヤ４及び入力手段５が連結され、伸縮体１を連続繰出しうるようになされているから、伸縮体１に手を触れずに、ギヤリール３を回して伸長させたり、収縮させたりすることができ、しかもスリップせず正確に動かすことができる。
【００２５】
請求項２のものでは、伸縮体１自身が密着渦巻癖を有し、伸長形状でも密着渦巻形状でも安定するようになされているから、ゼンマイが不要で、小型軽量化できる。
【００２６】
請求項３のものでは、繰出帯２が０．０５〜０．２ｍｍのステンレス膜又はＰＥＴフィルムとなされているから、伸縮体１の押出しを一層強いものとすることができる。
【００２７】
請求項４のものでは、繰出帯２が定荷重バネとなされ、伸縮体１の戻り方向に力が付与されるようにギヤリール３に逆向きに巻かれているので、ゼンマイが不要で、小型軽量化できる。
【００２８】
請求項５・６のものでは、入力手段５としてモータあるいは片手入力できるハンドルが設けられているので片手で連続繰り出しさせることができ、勿論片手で自動巻込みさせることができる。
【図面の簡単な説明】
【図１】本発明の第１実施例を示す斜視図である。
【図２】図１の側面図である。
【図３】本発明の第２実施例の側面図である。
【図４】本発明の第３実施例の側面図である。
【図５】本発明の第４実施例を示す側面図である。
【符号の説明】
１  伸縮体
２  繰出帯
３  ギヤリール
４  駆動ギヤ
５  入力手段
６  スイッチ
７  戻し部
８  電池
９  ゼンマイ
１０  先端具
１１  フレーム
１２  取付部
１３  目盛
１４  支柱
１８  軸
１９  密着渦巻部
【図１】
0003890522.tif 000002
【図２】
0003890522.tif 000003
【図３】
0003890522.tif 000004
【図４】
0003890522.tif 000005
【図５】
0003890522.tif 000006